(57)【要約】【課題】素材を直感的に検索できる。【解決手段】情報処理システムが、  音象徴語の一部となる文字を取得する文字取得部と、  前記文字を含む音象徴語を複数表示する音象徴語表示部と、  前記音象徴語表示部が表示する複数の音象徴語からの選択を受け付ける受付部と、  前記文字取得部が取得する文字又は前記受付部で受け付ける音象徴語のうち、いずれかに対応する素材を示す素材画像を検索する検索部と、  前記素材画像を少なくとも表示する画像表示部とを含む。【選択図】図１
2019096259.tif 000002
【特許請求の範囲】
【請求項１】
音象徴語の一部となる文字を取得する文字取得部と、
前記文字を含む音象徴語を複数表示する音象徴語表示部と、
前記音象徴語表示部が表示する複数の音象徴語からの選択を受け付ける受付部と、
前記文字取得部が取得する文字又は前記受付部で受け付ける音象徴語のうち、いずれかに対応する素材を示す素材画像を検索する検索部と、
前記素材画像を少なくとも表示する画像表示部と
を含む情報処理システム。
【請求項２】
前記画像表示部は、
前記素材画像が示す素材に対応する音象徴語を更に表示し、
前記検索部は、
前記画像表示部が更に表示する音象徴語が選択されると、再度、音象徴語に対応する素材を示す素材画像を検索する請求項１に記載の情報処理システム。
【請求項３】
前記素材の名称、前記素材の質感を示す形容詞、前記素材の物理量又はこれらの組み合わせを表示する関連事項表示部を更に含む請求項１又は２に記載の情報処理システム。
【請求項４】
前記文字取得部は、
前記音象徴語の１モーラ目を示す前記文字を取得する請求項１乃至３のいずれか１項に記載の情報処理システム。
【請求項５】
前記検索部は、
前記文字を音象徴語、形容詞又は物理量に変換して前記素材画像を検索する請求項１乃至４のいずれか１項に記載の情報処理システム。
【請求項６】
情報処理システムが行う情報処理方法であって、
情報処理システムが、音象徴語の一部となる文字を取得する文字取得手順と、
情報処理システムが、前記文字を含む音象徴語を複数表示する音象徴語表示手順と、
情報処理システムが、前記音象徴語表示手順で表示する複数の音象徴語からの選択を受け付ける受付手順と、
情報処理システムが、前記文字取得手順で取得する文字又は前記受付手順で受け付ける音象徴語のうち、いずれかに対応する素材を示す素材画像を検索する検索手順と、
情報処理システムが、前記素材画像を少なくとも表示する画像表示手順と
を含む情報処理方法。
【請求項７】
コンピュータに情報処理方法を実行させるためのプログラムであって、
コンピュータが、音象徴語の一部となる文字を取得する文字取得手順と、
コンピュータが、前記文字を含む音象徴語を複数表示する音象徴語表示手順と、
コンピュータが、前記音象徴語表示手順で表示する複数の音象徴語からの選択を受け付ける受付手順と、
コンピュータが、前記文字取得手順で取得する文字又は前記受付手順で受け付ける音象徴語のうち、いずれかに対応する素材を示す素材画像を検索する検索手順と、
コンピュータが、前記素材画像を少なくとも表示する画像表示手順と
を実行させるためのプログラム。
【発明の詳細な説明】
【技術分野】
【０００１】
本発明は、情報処理システム、情報処理方法及びプログラムに関する。
【背景技術】
【０００２】
従来、インターネット上における電子商取引サイトでは、電子商取引の対象となる商品を検索する方法が用いられている。
【０００３】
そして、例えば、服飾品等の商品では、検索の際に、ドット、ストライプ、ボーダ、チェック及び無地等といった商品の柄と、形容詞又は感性語とを検索条件として、設定される検索条件に該当する商品を検索する方法が知られている（例えば、特許文献１等）。
【先行技術文献】
【特許文献】
【０００４】
【特許文献１】特開２０１６‐９１５２２号公報
【発明の概要】
【発明が解決しようとする課題】
【０００５】
しかしながら、従来の技術では、形容詞又は感性語を検索に用いるには、検索に用いる形容詞等をあらかじめ用意する必要がある。したがって、この場合では、用意された形容詞等の範囲で検索できる対象が限定される。そのため、ユーザが検索したい素材を示す形容詞等が用意されていない等の場合には、ユーザの直感的な検索が妨げられる。ゆえに、ユーザは、素材を直感的に検索できない場合がある。
【０００６】
本発明の１つの側面は、このような問題に鑑みてなされたものであり、素材を直感的に検索できることを目的とする。
【課題を解決するための手段】
【０００７】
上記の課題を解決するため、情報処理システムは、音象徴語の一部となる文字を取得する文字取得部と、
前記文字を含む音象徴語を複数表示する音象徴語表示部と、
前記音象徴語表示部が表示する複数の音象徴語からの選択を受け付ける受付部と、
前記文字取得部が取得する文字又は前記受付部で受け付ける音象徴語のうち、いずれかに対応する素材を示す素材画像を検索する検索部と、
前記素材画像を少なくとも表示する画像表示部と
を含む。
【発明の効果】
【０００８】
素材を直感的に検索できる。
【図面の簡単な説明】
【０００９】
【図１】情報処理システムの全体構成例を示す図である。
【図２】情報処理装置のハードウェア構成例を示すブロック図である。
【図３】全体処理例を示すフローチャートである。
【図４】入力用ＵＩの一例を示す図である。
【図５】音象徴語の選択用ＵＩの一例を示す図である。
【図６】出力用ＵＩの一例を示す図である。
【図７】出力用ＵＩにおける関連事項の表示例を示す図である。
【図８】情報処理システムが表示する画面の全体構成例を示す図である。
【図９】素材の使用例を示す図である。
【図１０】素材の名称、素材画像及び音象徴語を対応付けした例を示す図である。
【発明を実施するための形態】
【００１０】
以下、本発明の好適な実施形態の具体例を示して説明する。
【００１１】
＜全体構成例＞
図１は、情報処理システムの全体構成例を示す概要図である。図示するように、情報処理システム１は、１以上の情報処理装置を有する。具体的には、情報処理システム１は、情報処理装置の例であるサーバ２と、情報処理装置の例であるＰＣ（Ｐｅｒｓｏｎａｌ  Ｃｏｍｐｕｔｅｒ）３とを有する。
【００１２】
図示するように、サーバ２と、ＰＣ３とは、ネットワーク等によって接続され、相互にデータを送受信することができる。
【００１３】
なお、サーバ２と、ＰＣ３とは、一体となる構成、すなわち、情報処理システム１は、１つの情報処理装置で構成されてもよい。一方で、情報処理システム１は、３以上の情報処理装置を有してもよい。以下、図示する全体構成を例に説明する。
【００１４】
＜機能構成例＞
図２に、情報処理システム１が有する情報処理装置のハードウェア構成例を示す。なお、ハードウェア構成の詳細は、後述する。
【００１５】
情報処理システム１は、例えば、文字取得部Ｆ１と、検索部Ｆ２と、画像表示部Ｆ３とを含む機能構成である。また、図示するように、情報処理システム１は、音象徴語表示部Ｆ４と、受付部Ｆ５と、関連事項表示部Ｆ６とを更に含む機能構成であるのが望ましい。以下、図示するような機能構成を例に説明する。
【００１６】
文字取得部Ｆ１は、音象徴語の一部となる文字を取得する文字取得手順を行う。例えば、文字取得部Ｆ１は、図２に示す入力装置２Ｈ０３等によって実現される。
【００１７】
検索部Ｆ２は、文字取得部Ｆ１が取得する文字ＣＯＮに対応する素材を示す素材画像ＩＭＧを検索する検索手順を行う。例えば、検索部Ｆ２は、図２に示すＣＰＵ２Ｈ０１等によって実現される。
【００１８】
画像表示部Ｆ３は、検索部Ｆ２が検索する素材画像ＩＭＧを少なくとも表示する画像表示手順を行う。例えば、画像表示部Ｆ３は、図２に示す出力装置２Ｈ０４等によって実現される。
【００１９】
音象徴語表示部Ｆ４は、文字ＣＯＮを含む音象徴語を複数表示する音象徴語表示手順を行う。例えば、音象徴語表示部Ｆ４は、図２に示す出力装置２Ｈ０４等によって実現される。
【００２０】
受付部Ｆ５は、音象徴語表示部Ｆ４が表示する音象徴語に対する選択を選択画面ＳＥＬ等によって受け付ける受付手順を行う。例えば、受付部Ｆ５は、図２に示す入力装置２Ｈ０３等によって実現される。
【００２１】
関連事項表示部Ｆ６は、素材の名称、素材の質感を示す形容詞、素材の物理量又はこれらの組み合わせ等の関連事項を表示する関連事項表示手順を行う。例えば、関連事項表示部Ｆ６は、図２に示す出力装置２Ｈ０４等によって実現される。
【００２２】
図示する各部のうち、文字取得部Ｆ１、検索部Ｆ２及び画像表示部Ｆ３を少なくとも有する機能構成であると、情報処理システム１は、文字取得部Ｆ１によって取得される文字ＣＯＮに対応する素材を検索することができる。
【００２３】
図示する構成例では、サーバ２がデータベースとなる。なお、データベースは、サーバ２のみで構成されず、他の情報処理装置との組み合わせで、複数の情報処理装置で実現されてもよい。具体的には、サーバ２は、知覚特性データＤ１、実験情報データＤ２、コンテクストデータＤ３、素材画像データＤ４、素材の名称データＤ５及び素材の物理量データＤ６等のデータをあらかじめ記憶する。そして、あらかじめ行われる実験等によって、各データは、対応付けされ、相互に変換ができる構成である。
【００２４】
例えば、図示するようなデータベース構造であると、情報処理システム１は、音象徴語が入力されると、入力された音象徴語に対応する素材を検索することができる。そして、情報処理システム１は、検索された素材を示す素材の名称データＤ５、素材の物理量データＤ６及び素材画像データＤ４等が示す情報を出力することができる。
【００２５】
同様に、図示するようなデータベース構造であると、情報処理システム１は、形容詞又は物理量が入力された場合でも、対応する素材を検索することができる。
【００２６】
また、情報処理システム１は、上記とは入力及び出力が逆の検索が可能でもよい。すなわち、素材の名称等が入力されると、情報処理システム１は、音象徴語、形容詞又は物理量等を検索し、出力してもよい。
【００２７】
＜データベースの構成例＞
データベースは、例えば、「Ｏｐｅｎｓｕｒｆａｃｅｓ」（http://opensurfaces.cs.cornell.edu/）等と同様の構成である。なお、以下の説明では、知覚特性データＤ１、素材の物理量データＤ６及び音象徴語データ等のデータは、実素材を用いた知覚実験等でデータベース化されるとする。
【００２８】
具体的には、コンテクストデータＤ３は、例えば、対象となる素材が建築部材等に使用されている状態を示すデータである。なお、例えば、建築用の例では、コンテクストデータＤ３には、インテリア等による全体的な雰囲気を示すデータが含まれる。また、コンテクストデータＤ３は、素材が建築用以外の場面に使用される状態を示してもよい。例えば、コンテクストデータＤ３は、自動車用等の場面で使用される状態を示してもよい。
【００２９】
コンテクストデータＤ３には、例えば、実験刺激及び実験情報データＤ２等のデータが対応付けされるデータベース構造となる。
【００３０】
実験刺激は、例えば、和室素材、紙、布、木材、合成樹脂及び質感画像等がカテゴリーとなるデータである。また、実験情報データＤ２は、視覚、聴覚及び触覚における知覚特性及びオノマトペ表現等に関する実験情報を示すデータである。
【００３１】
そして、実験刺激及び素材の物理量データＤ６には、例えば、素材画像データＤ４等のデータが対応付けされるデータベース構造となる。また、実験刺激には、素材の物理量データＤ６等のデータが対応付けされるデータベース構造となる。さらに、実験情報データＤ２には、形容詞に係るデータ及びオノマトペに係るデータ等が対応付けされるデータベース構造となる。
【００３２】
ほかにも、実験刺激には、いわゆるタクソノミー（ｔａｘｏｎｏｍｙ）及びターム（ｔｅｒｍ）等が対応付けされてもよい。なお、タクソノミーは、分類方法を定義するデータの例である。また、タームは、分類値を示すデータの例である。例えば、このようなデータを有して、データ構造を「ＷｏｒｄＰｒｅｓｓ（登録商標）」等と同様な構成とする。このようなデータ構造であると、カテゴリー及びタグ（ｔａｇ）等の管理が容易となる。さらに、このようなデータ構造であると、テーブル構造を柔軟に変更できる。
【００３３】
知覚特性データＤ１には、例えば、形容詞評価尺度及び評定値等が実験等であらかじめ入力される。具体的には、「やわらかい‐かたい」という形容詞対によって、「−３」乃至「＋３」の７段階評価を行う場合には、評定値は、「＋２．５」等のように入力される。
【００３４】
なお、データベース構造は、上記に説明した構造に限られず、他の構造でもよい。
【００３５】
＜ハードウェア構成例＞
図２は、情報処理装置のハードウェア構成例を示すブロック図である。例えば、サーバ２及びＰＣ３は、同一のハードウェア構成である。以下、サーバ２を例に説明し、ＰＣ３の説明を省略する。
【００３６】
サーバ２は、ＣＰＵ（Ｃｅｎｔｒａｌ  Ｐｒｏｃｅｓｓｉｎｇ  Ｕｎｉｔ）２Ｈ０１と、記憶装置２Ｈ０２と、入力装置２Ｈ０３と、出力装置２Ｈ０４と、インタフェース（ｉｎｔｅｒｆａｃｅ）２Ｈ０５とを有する。各ハードウェア資源は、バス（ｂｕｓ）で接続され、相互にデータを送受信する。
【００３７】
ＣＰＵ２Ｈ０１は、演算装置及び制御装置の例である。記憶装置２Ｈ０２は、主記憶装置等である。また、記憶装置２Ｈ０２は、ＳＳＤ（Ｓｏｌｉｄ  Ｓｔａｔｅ  Ｄｒｉｖｅ）又はハードディスク等の補助記憶装置があってもよい。入力装置２Ｈ０３は、ユーザＵＲから操作を入力する装置である。例えば、入力装置２Ｈ０３は、キーボード、マウス又はこれらの組み合わせ等である。出力装置２Ｈ０４は、ユーザＵＲに処理結果等を表示する装置である。例えば、出力装置２Ｈ０４は、ディスプレイ等である。インタフェース２Ｈ０５は、外部装置とデータを入出力する装置である。例えば、インタフェース２Ｈ０５は、コネクタ又は通信装置等である。
【００３８】
なお、ハードウェア構成は、図示する構成に限られない。例えば、ハードウェア構成は、演算装置又は制御装置等が内部又は外部に更にある構成等でもよい。
【００３９】
＜全体処理例＞
図３は、全体処理例を示すフローチャートである。
【００４０】
ステップＳ０１では、情報処理システム１は、文字を取得する。具体的には、まず、情報処理システム１は、ユーザＵＲに入力画面ＩＦＩＮ等をＰＣ画面上に表示する。そして、情報処理システム１は、入力画面ＩＦＩＮによって、ユーザＵＲによる文字ＣＯＮを入力する操作を受け付ける。また、ユーザＵＲは、入力画面ＩＦＩＮをＵＩ（Ｕｓｅｒ  Ｉｎｔｅｒｆａｃｅ）として、検索したい素材の質感等を示す文字ＣＯＮを入力する。入力画面ＩＦＩＮの詳細は、後述する。
【００４１】
なお、文字ＣＯＮは、音象徴語の一部を示す文字である。音象徴語を用いると、ユーザＵＲは、直感的に質感等が表現できる。また、音象徴語による表現は、日本語以外の言語でも適用できる可能性が高い。つまり、日本語以外の言語を母国語とする外国人であっても、質感を音象徴語で表現すると、日本人と同じような音象徴語を用いて表現する場合が多い。
【００４２】
なお、文字ＣＯＮは、音象徴語の１モーラ目を示す文字が含まれるのが望ましい。特に、１モーラ目の子音は、外国人であっても日本人と共通する音を用いる可能性が高い。したがって、質感等を表現する音象徴語の１モーラ目を示す文字等が、情報処理システム１に取得されるのが望ましい。
【００４３】
以下、図示するように、「ｂ」という文字ＣＯＮが取得される場合を例に説明する。
【００４４】
また、「モーラ（ｍｏｒａ）」は、日本語リズムにおける拍数を示す単位とする。例えば、「ズキッ」という音象徴語は、「ズ」の部分が１モーラ目となり、「キッ」の部分が２モーラ目となる２モーラのオノマトペである。以下、音象徴語の例として、オノマトペを用いる例で説明する。
【００４５】
ステップＳ０２では、情報処理システム１は、取得された文字を含むモーラを検索する。まず、情報処理システム１には、例えば、図示するようなモーラテーブルＴＢＭがあらかじめ入力されるとする。
【００４６】
モーラテーブルＴＢＭは、音韻の要素の組み合わせを示すテーブルである。この例では、モーラテーブルＴＢＭにおける横軸は、原則母音を示し、縦軸は、子音を示す。
【００４７】
そして、この例では、情報処理システム１は、取得された「ｂ」を含む「ば」、「び」、「ぶ」、「べ」、「ぼ」、「びゃ」、「びゅ」及び「びょ」といったモーラをモーラテーブルＴＢＭから検索する。
【００４８】
ステップＳ０３では、情報処理システム１は、検索されたモーラを含む音象徴語を検索する。まず、情報処理システム１には、例えば、図示するようなオノマトペテーブルＴＯＮがあらかじめ入力されるとする。
【００４９】
オノマトペテーブルＴＯＮは、図示するように、様々なオノマトペがリスト化されたデータである。
【００５０】
図示する例では、オノマトペテーブルＴＯＮに含まれるオノマトペのうち、「ばりばり」及び「ぼこぼこ」のオノマトペＯＮが、「ば」及び「ぼ」のモーラを含む。したがって、この例では、情報処理システム１は、オノマトペテーブルＴＯＮから、「ばりばり」及び「ぼこぼこ」のオノマトペＯＮを検索する。
【００５１】
ステップＳ０４では、情報処理システム１は、素材を検索する。図１に示すようなデータベース構造であると、情報処理システム１は、オノマトペＯＮ等の音象徴語と、素材ＭＴとを対応させることができる。したがって、情報処理システム１は、データベースが持つ素材のうち、ステップＳ０３で検索されたオノマトペＯＮに対応する素材ＭＴを検索する。
【００５２】
図示する例は、「ばりばり」及び「ぼこぼこ」のオノマトペＯＮに対応する素材ＭＴとして、「畳（い草）」及び「ビニールクロス」が検索された例を示す。
【００５３】
ステップＳ０５では、情報処理システム１は、素材画像等を表示する。例えば、情報処理システム１は、出力画面ＩＦＯＵ等のＵＩによって、ステップＳ０４で検索された素材ＭＴを示す画像等を表示する。出力画面ＩＦＯＵの詳細は、後述する。
【００５４】
＜入力用ＵＩ例＞
図４は、入力用ＵＩの一例を示す図である。例えば、情報処理システム１は、図示するような入力画面ＩＦＩＮ等をＰＣ画面上に表示して、文字ＣＯＮを取得する。すなわち、入力画面ＩＦＩＮは、ステップＳ０１で用いられるＵＩの例である。なお、入力用ＵＩは、図示するような入力画面に限られない。
【００５５】
具体的には、図示するように、入力画面ＩＦＩＮは、検索フォームＩＮＰとなるＵＩを有する。そして、検索フォームＩＮＰには、ユーザＵＲによって、子音又は母音を示す文字ＣＯＮが入力される。すなわち、検索フォームＩＮＰには、いわゆる検索キーワードとなる文字ＣＯＮが入力される。
【００５６】
なお、図示するように、入力画面ＩＦＩＮには、「オノマトペの頭文字を入力して下さい。」等のような表示がされ、ユーザＵＲに、音象徴語の１モーラ目を示す文字を入力させるように促す表示があるのが望ましい。さらに、図示する例では、入力画面ＩＦＩＮは、「ａ（あ行）、ｋ、ｓ、ｔ、ｎ、ｈ、ｍ、ｙ、ｒ、ｗ等」という表示をして、検索フォームＩＮＰに入力されるのが望ましい文字の具体例を明示している。なお、情報処理システム１は、図示する具体例以外の文字を取得してもよい。
【００５７】
また、入力画面ＩＦＩＮには、空欄ＳＰがあってもよい。そして、空欄ＳＰには、途中経過又は検索結果等が表示されてもよい。
【００５８】
さらに、情報処理システム１は、入力用ＵＩとして、オノマトペを選択する画面を表示してもよい。
【００５９】
図５は、音象徴語の選択用ＵＩの一例を示す図である。
【００６０】
例えば、情報処理システム１は、選択用ＵＩとして、オノマトペＯＮの一覧を表示し、かつ、一覧からオノマトペを１つ選択するユーザＵＲによる操作を受け付ける選択画面ＳＥＬを表示する。例えば、選択画面ＳＥＬは、空欄ＳＰ等に表示されてもよい。
【００６１】
また、選択画面ＳＥＬに表示されるオノマトペＯＮは、検索フォームＩＮＰに入力された文字ＣＯＮに対応する音象徴語である。すなわち、選択画面ＳＥＬに表示されるオノマトペＯＮは、ステップＳ０３で検索されたオノマトペである。
【００６２】
図示するように、選択画面ＳＥＬが表示されると、検索フォームＩＮＰに入力された文字ＣＯＮに対応する音象徴語が複数表示される場合が多い。したがって、ユーザＵＲは、質感により適した音象徴語を選択することができる。
【００６３】
そして、選択画面ＳＥＬによって、オノマトペＯＮが選択された場合には、以降の処理（ステップＳ０４等）は、選択されたオノマトペＯＮが対象となり、素材等が検索される。
【００６４】
＜出力用ＵＩ例＞
図６は、出力用ＵＩの一例を示す図である。例えば、情報処理システム１は、図示するような出力画面ＩＦＯＵ等をＰＣ画面上に表示して、素材画像ＩＭＧ等を表示する。
【００６５】
また、出力画面ＩＦＯＵには、素材画像ＩＭＧが示す素材に関連する関連事項が一緒に表示されてもよい。具体的には、図示するように、素材の名称データＤ５及びオノマトペＯＮ等が出力画面ＩＦＯＵ上に表示されてもよい。ほかにも、例えば、以下のように、関連事項が素材画像ＩＭＧ等と一緒に表示されてもよい。
【００６６】
図７は、出力用ＵＩにおける関連事項の表示例を示す図である。
【００６７】
情報処理システム１は、図示するような出力画面ＩＦＯＵ２を表示してもよい。図示する出力画面ＩＦＯＵ２では、情報処理システム１は、素材画像ＩＭＧと一緒に、素材の物理量、素材の質感を示す形容詞及び音象徴語の組み合わせを表示する。
【００６８】
素材の物理量は、例えば、「表面形状」、「硬度」、「摩擦係数」、「材料組成」、「水分量」及び「熱伝導率」等である。なお、素材の物理量は、設定できてもよく、上記以外の種類でもよい。
【００６９】
素材の質感を示す形容詞は、例えば、形容詞対及び評定値で表示される。具体的には、形容詞対は、「滑らかな-粗い」、「平らな-凸凹な」、「やわらかい-かたい」、「温かい-冷たい」、「滑る-粘つく」、「乾いた-湿った」、「快適-不快」、「自然な-人工的な」、「明るい-暗い」、「つやのある-つやのない」、「落ち着いた-落ち着きのない」、「透明な-不透明な」、「地味な‐派手な」、「安っぽい-高級感のある」、「醜い-美しい」、「重い-軽い」及び「シンプルな-複雑な」等である。なお、用いられる形容詞は、視覚、触覚又は聴覚等の感覚によって異なる。したがって、形容詞は、設定できてもよく、上記以外の種類でもよい。
【００７０】
以上のように、情報処理システム１は、素材の詳細を示す関連事項を素材画像ＩＭＧと一緒に表示してもよい。
【００７１】
なお、出力画面ＩＦＯＵ２に表示されるオノマトペＯＮは、選択可能であるのが望ましい。例えば、図示するように、まず、情報処理システム１は、各素材に対応する素材画像ＩＭＧに加えて、各素材に対応するオノマトペＯＮを更に表示する。そして、ユーザは、出力画面ＩＦＯＵ２上で、オノマトペＯＮが選択できるとする。続いて、オノマトペＯＮが選択されると、情報処理システム１は、再度、出力画面ＩＦＯＵ２上で選ばれたオノマトペＯＮに対応する素材を示す素材画像を検索し、表示する。このようにして、情報処理システム１は、いわゆる再検索を行ってもよい。
【００７２】
出力画面ＩＦＯＵ２のように、素材にあらかじめ対応付けされているオノマトペＯＮが表示されると、検索フォームＩＮＰに入力された文字より適したオノマトペが見つかる場合がある。このような場合には、より適したオノマトペで素材が検索される方が望ましい。そこで、上記のように、出力画面ＩＦＯＵ２上で再度選択が可能な構成とすると、ユーザは、検索フォームＩＮＰから入力し直す等の手間が省ける。
【００７３】
図８は、情報処理システムが表示する画面の全体構成例を示す図である。図示するように、情報処理システム１は、例えば、画面８０のような画面を表示する。具体的には、画面８０は、検索フォームＩＮＰ等の入力用ＵＩと、オノマトペＯＮを選択するための選択用ＵＩと、素材画像ＩＭＧ等を表示する出力用ＵＩとを表示する。そして、入力用ＵＩに入力される文字に基づいて、素材が検索される。
【００７４】
また、選択用ＵＩでオノマトペＯＮが選択できてもよく、情報処理システム１は、まず、入力用ＵＩで文字を取得すると、選択画面ＳＥＬ等のように、オノマトペＯＮのリスト等を表示して、オノマトペＯＮの選択を受け付ける。そして、選択画面ＳＥＬでオノマトペＯＮが選択されると、情報処理システム１は、選択されたオノマトペＯＮに対応する素材を検索し、検索結果に基づいて素材画像ＩＭＧを出力用ＵＩで表示する。
【００７５】
また、上記のように、出力用ＵＩが表示するオノマトペによって再検索が可能な構成であれば、入力用ＵＩ、選択用ＵＩ及び出力用ＵＩのうち、いずれかで入力又は選択が行われると、更に検索が行われ、相互に各ＵＩに、検索結果が反映されてもよい。
【００７６】
なお、情報処理システム１は、例えば、建築用の場合には、素材が具体的に家屋に使用された場面等を表示してもよい。
【００７７】
図９は、素材の使用例を示す図である。図示する例は、日本の伝統的な様式である和室に素材を使用する例である。和室では、質感が重要視される場合が多い。そして、素材は、種類が異なると質感が厳密には異なる場合が多いが、類似となる可能性もある。そのため、素材ごとに異なる質感の違いを表現するのに、オノマトペ等の音象徴語を用いると違いが分かりやすい。図示する例は、各素材の微細な質感を示すオノマトペに基づいて、和室において、天井、建具、障子、壁及び畳等を構成する例である。そして、和室空間全体の印象をオノマトペで表現すると、情報処理システム１は、各空間の微細な差を表現できる。
【００７８】
図示するように、素材の使用例を示す情報は、コンテクストデータＤ３に記憶される。例えば、素材「畳（い草）」は、和室では、床部分９０に使用される場合が多い素材である。したがって、和室において、床部分９０に、素材「畳（い草）」が使用される例が表示される。
【００７９】
＜データベース上の対応付け例＞
図１０は、素材の名称、素材画像及び音象徴語を対応付けした例を示す図である。
【００８０】
例えば、各素材は、「素材番号」等で識別される。そして、素材は、それぞれの素材の名称データＤ５、それぞれの素材を示す素材画像ＩＭＧ及び実験等によって各素材を示すオノマトペＯＮ等の音象徴語が対応付けされる。したがって、情報処理システム１は、データベースによって、図示するような対応付けがされるため、オノマトペＯＮに対応する素材の名称及び素材画像等を検索し、特定できる。
【００８１】
なお、データベース上では、素材の質感を示す形容詞、素材の物理量又はこれらの組み合わせ等の関連事項が同様に素材に対応付けされてもよい。
【００８２】
＜変形例＞
音象徴語、形容詞及び物理量は、データベースで相互に変換が可能である。したがって、それぞれの項目は、変換可能な項目に変換されて、検索又は表示されてもよい。
【００８３】
＜まとめ＞
以上のような構成であると、素材の質感を示す音象徴語を用いて素材が検索できるため、ユーザは、素材の直感的な検索が可能となる。
【００８４】
＜他の実施形態＞
なお、全体処理は、図示する順序に限られない。例えば、各処理の一部又は全部は、並列又は図示する順序とは異なる順序で行われてもよい。また、各処理は、複数の情報処理装置によって、冗長、分散、並列、仮想化又はこれらを組み合わせて実行されてもよい。
【００８５】
なお、本発明に係る情報処理方法は、プログラムによって実現されてもよい。すなわち、プログラムは、１以上の情報処理装置を含む情報処理システム等であるコンピュータに各処理を実行させるためのコンピュータプログラムである。
【００８６】
したがって、プログラムに基づいて情報処理方法が実行されると、コンピュータが有する演算装置及び制御装置は、各処理を実行するため、プログラムに基づいて演算及び制御を行う。また、コンピュータが有する記憶装置は、各処理を実行するため、プログラムに基づいて、処理に用いられるデータを記憶する。
【００８７】
また、プログラムは、コンピュータが読み取り可能な記録媒体に記録されて頒布することができる。なお、記録媒体は、磁気テープ、フラッシュメモリ、光ディスク、光磁気ディスク又は磁気ディスク等のメディアである。また、記録媒体は、補助記憶装置等でもよい。さらに、プログラムは、電気通信回線を通じて頒布することができる。
【００８８】
以上、本発明の好ましい実施形態の具体例について詳述したが、本発明は、図面に記載された実施形態等に限定されない。すなわち、特許請求の範囲に記載された本発明の広範な要旨の範囲内において、種々の変形又は変更が可能である。
【符号の説明】
【００８９】
１              情報処理システム
ＯＮ            オノマトペ
ＯＣＮ          文字
ＩＭＧ          素材画像
Ｆ１            文字取得部
Ｆ２            検索部
Ｆ３            画像表示部
Ｆ４            音象徴語表示部
Ｆ５            受付部
Ｆ６            関連事項表示部
【図１】
2019096259.tif 000003
【図２】
2019096259.tif 000004
【図３】
2019096259.tif 000005
【図４】
2019096259.tif 000006
【図５】
2019096259.tif 000007
【図６】
2019096259.tif 000008
【図７】
2019096259.tif 000009
【図８】
2019096259.tif 000010
【図９】
2019096259.tif 000011
【図１０】
2019096259.tif 000012